(57)【要約】【課題】装置から引き出されたフラットケーブルの基端側の汚損を防止すると共に、装置内への異物の侵入を防止することができるケーブル巻取装置を提供すること。【解決手段】底壁３１の中心部の中心軸部３２と底壁３１の外周の外周壁部３３とでケーブル収容空間３５を画成し、ケーブル収容空間３５に巻き取ったフラットケーブルの基端を中心軸部３２の上端から外周壁部３３の外に導出するケース本体３０と、ケーブル収容空間３５の上部開放部を覆う蓋体５０と、を備えるケーブル巻取装置１において、中心軸部３２の上端面３２１と外周壁部３３の一部の上端面３３１との間に架設されてフラットケーブルの基端側を中心軸部３２の上端から外周壁部３３の外側に誘導するケーブルガイド部材４０と、蓋体５０に一体形成されて中心軸部３２の上方を覆う中心部被覆部６０と、を備える。【選択図】図１
2015104259.tif 000002
【特許請求の範囲】
【請求項１】
底壁の中心部に立設された中心軸部と前記底壁の外周に立設された外周壁部とで上方を開放したケーブル収容空間を画成し、前記ケーブル収容空間に巻き取ったフラットケーブルの基端を中心軸部の上端から外周壁部の外に導出するケース本体と、
前記ケーブル収容空間の上部開放部を覆う蓋体と、
を備えるケーブル巻取装置であって、
前記中心軸部の上端面と前記外周壁部の一部の上端面との間に架設されて、前記中心軸部の上端に引き出された前記フラットケーブルの基端側を前記外周壁部の外側に誘導するケーブルガイド部材と、
前記蓋体に一体形成されて、前記中心軸部の上方を覆う中心部被覆部と、
を備えたことを特徴とするケーブル巻取装置。
【請求項２】
前記ケーブルガイド部材は、前記外周壁部側に位置する外周部が、前記外周壁部と一体の可撓ヒンジにより回動可能に前記外周壁部に結合されると共に、前記中心軸部側に位置する内周部には、前記中心軸部の上部に係脱可能な軸部係合突起が備えられていることを特徴とする請求項１に記載のケーブル巻取装置。
【請求項３】
前記ケーブルガイド部材は、前記蓋体の内面に一体形成されていることを特徴とする請求項１に記載のケーブル巻取装置。
【発明の詳細な説明】
【技術分野】
【０００１】
本発明は、例えば、車両の可動部へフラットケーブルを配索する際に、フラットケーブルの余長部を引き出し可能に巻き取るケーブル巻取装置に関する。
【背景技術】
【０００２】
図８は、下記特許文献１に開示されたケーブル巻取装置を示している。
このケーブル巻取装置１００は、例えば、車両のスライドドアや、スライドシートなどの可動部へフラットケーブル２００を配索する際に、フラットケーブル２００の余長部を引き出し可能に巻き取る。
【０００３】
このケーブル巻取装置１００は、上部を開放したケース本体１１０と、このケース本体１１０の上に取り付けられる蓋体１２０と、を備えている。
【０００４】
ケース本体１１０は、底壁の外周に立設した外周壁部１１１によって、該外周壁部１１１の内側に、環状のケーブル収容空間を画成している。ケーブル収容空間には、フラットケーブル２００が、基端側を中心側にして、巻回状態に収容される。そして、ケーブル収容空間に収容されたフラットケーブル２００の基端２０１は、ケース本体１１０の中心部から蓋体１２０に形成された開口１２１を通って上方に引き出され、さらに、外周壁部１１１の外側まで導出されて、車両のフロアに固定装備されたケーブル接続部にコネクタ接続される。フラットケーブル２００の基端２０１には、ケーブル接続部にコネクタ接続するためのコネクタ２１０が装着されている。
【０００５】
ケース本体１１０内に巻き取られたフラットケーブル２００の先端側は、外周壁部１１１の周壁の一部に開口したケーブル引出口（不図示）から外部に引き出されて、車両の床部に設置されたシートレール等の構造物２２０に挿通されて、可動部まで配索される。
【先行技術文献】
【特許文献】
【０００６】
【特許文献１】仏国特許出願公開第２７９０２３６号明細書
【発明の概要】
【発明が解決しようとする課題】
【０００７】
ところで、以上のケーブル巻取装置１００は、比較的に寸法が大きいため、シートレール等の構造物２２０内に納めることが難しい。そのため、ケーブル巻取装置１００は、車両の床部等に、そのまま載置されることが多く、車両の搭乗者が誤って踏んでしまったり、その上に荷物等が乗せられることもある。
【０００８】
ところが、特許文献１のケーブル巻取装置１００は、巻き取ったフラットケーブル２００の基端２０１が、図示のように、装置の上部に露出するため、当該装置が踏まれたり、その上に荷物が載せられた際に、フラットケーブル２００が汚れたり、破損するおそれがあった。
【０００９】
また、蓋体１２０の中心部に開口する開口１２１は、コネクタ２１０が挿通可能なかなりの大きさに設定されているため、前記開口１２１から装置内に異物が侵入して、フラットケーブル２００の巻き取りや繰り出しが阻害されるおそれがあった。
【００１０】
そこで、本発明の目的は、上記課題を解消することに係り、装置から引き出されたフラットケーブルの基端側の汚損を防止すると共に、装置内への異物の侵入を防止することができるケーブル巻取装置を提供することにある。また、構成部品の増加を抑えてコスト低減を図ることのできるケーブル巻取装置を提供することにある。
【課題を解決するための手段】
【００１１】
本発明の前述した目的は、下記の構成により達成される。
（１）  底壁の中心部に立設された中心軸部と前記底壁の外周に立設された外周壁部とで上方を開放したケーブル収容空間を画成し、前記ケーブル収容空間に巻き取ったフラットケーブルの基端を中心軸部の上端から外周壁部の外に導出するケース本体と、
前記ケーブル収容空間の上部開放部を覆う蓋体と、
を備えるケーブル巻取装置であって、
前記中心軸部の上端面と前記外周壁部の一部の上端面との間に架設されて、前記中心軸部の上端に引き出された前記フラットケーブルの基端側を前記外周壁部の外側に誘導するケーブルガイド部材と、
前記蓋体に一体形成されて、前記中心軸部の上方を覆う中心部被覆部と、
を備えたことを特徴とするケーブル巻取装置。
【００１２】
（２）  前記ケーブルガイド部材は、前記外周壁部側に位置する外周部が、前記外周壁部と一体の可撓ヒンジにより回動可能に前記外周壁部に結合されると共に、前記中心軸部側に位置する内周部には、前記中心軸部の上部に係脱可能な軸部係合突起が備えられていることを特徴とする上記（１）のケーブル巻取装置。
【００１３】
（３）  前記ケーブルガイド部材は、前記蓋体の内面に一体形成されていることを特徴とする上記（１）のケーブル巻取装置。
【００１４】
上記（１）の構成によれば、装置に巻き取られたフラットケーブルの基端は、ケース本体の中心の中心軸部の上端からケーブルガイド部材によって外周壁部の外部に導出される。そして、中心軸部の上端及びケーブルガイド部材上に配索されたフラットケーブルは、その上が、蓋体及び該蓋体に一体形成された中心部被覆部と、によって覆われて、当該ケーブル巻取装置の上方に対して露出しない。
【００１５】
したがって、当該ケーブル巻取装置が車両の床部等に設置された場合、ケーブル巻取装置が踏まれたり、あるいはケーブル巻取装置の上に荷物等が載置されたときでも、フラットケーブルの基端が踏まれたり荷物等に干渉することを回避して、フラットケーブルの基端側の汚損を防止することができる。
【００１６】
また、上記（１）の構成によれば、ケーブル巻取装置の中心部は中心部被覆部によって覆われていて、異物が侵入する大きな開口が存在しないため、装置内への異物の侵入を防止することもできる。
【００１７】
上記（２）の構成によれば、ケーブルガイド部材は、ケース本体の外周壁部に一体形成されているため、ケーブルガイド部材の装備によって構成部品数が増加することが無く、構成部品の増加を抑えてコスト低減を図ることができる。
【００１８】
上記（３）の構成によれば、ケーブルガイド部材は、蓋体の内面に一体形成されているため、ケーブルガイド部材の装備によって構成部品数が増加することが無く、構成部品の増加を抑えてコスト低減を図ることができる。
【発明の効果】
【００１９】
本発明によるケーブル巻取装置によれば、装置から引き出されたフラットケーブルの基端側の汚損を防止すると共に、装置内への異物の侵入を防止することができる。
【００２０】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２１】
【図１】図１は本発明に係るケーブル巻取装置の第１実施形態の分解斜視図である。
【図２】図２は図１に示したケース本体にフラットケーブルとケーブルガイド部材とが装着されて、フラットケーブルの基端がケーブルガイド部材によって外周壁部の外側に導出された状態の斜視図である。
【図３】図３は図２に示したケース本体の上に中心部被覆部が一体形成された蓋体が装着されて、組み立てが完了した状態の斜視図である。
【図４】図４は本発明のケース本体の第２実施形態で、ケーブルガイド部材が外方に退避した状態の斜視図である。
【図５】図５は本発明の第２実施形態のケース本体で、ケーブルガイド部材が定位置に係合した状態の斜視図である。
【図６】図６は本発明の第３実施形態のケーブル巻取装置の外観斜視図である。
【図７】図７は図６に示した蓋体に裏面の構造を示す斜視図である。
【図８】図８は従来のケーブル巻取装置の斜視図である。
【発明を実施するための形態】
【００２２】
以下、本発明に係るケーブル巻取装置の好適な実施形態について、図面を参照して詳細に説明する。
【００２３】
［第１実施形態］
図１〜図３は本発明に係るケーブル巻取装置の第１実施形態を示したもので、図１は本発明に係るケーブル巻取装置の第１実施形態の分解斜視図、図２は図１に示したケース本体にフラットケーブルとケーブルガイド部材とが装着されて、フラットケーブルの基端がケーブルガイド部材によって外周壁部の外側に導出された状態の斜視図、図３は図２に示したケース本体の上に中心部被覆部が一体形成された蓋体が装着されて、組み立てが完了した状態の斜視図である。
【００２４】
この第１実施形態のケーブル巻取装置１は、例えば、車両のスライドドアや、スライドシートなどの可動部へフラットケーブル２００を配索する際に、フラットケーブル２００の余長部を引き出し可能に巻き取る。
【００２５】
このケーブル巻取装置１は、図１に示すように、樹脂で一体形成されたケース本体３０と、ロータ板７０と、ロータ板付勢手段（図示せず）と、ケース本体３０の上部に配置されるケーブルガイド部材４０と、このケース本体３０の上に着脱可能に取り付けられる蓋体５０と、蓋体５０に一体形成された中心部被覆部６０と、を備えている。
【００２６】
ケース本体３０は、図１及び図２に示すように、略円板状の底壁３１と、底壁３１の中心部に立設された中心軸部３２と、底壁３１の外周部に立設された外周壁部３３と、外周壁部３３の周方向の一部に形成されたケーブル引出口３４と、を備えている。
【００２７】
中心軸部３２は、円柱状である。この中心軸部３２は、ケース本体３０内に収容するフラットケーブル２００が挿通する２本のスリット３２２ａ，３２２ｂが、装備されている。中心軸部３２の内部は空洞であり、空洞部はケース本体３０の底壁３１の下面に開口している。２本のスリット３２２ａ，３２２ｂは、中心軸部３２の内部で連通しており、中心軸部３２の周面３２３及び上端面３２１に開口している。一方のスリット３２２ａは、半径方向に延在している。他方のスリット３２２ｂは一方のスリット３２２ａと直交する方向に延在している。
【００２８】
一方のスリット３２２ａの側方から中心軸部３２内にフラットケーブル２００を導入し、９０度転回させて他方のスリット３２２ｂから導出することで、フラットケーブル２００は中心軸部３２に配索される。フラットケーブル２００は、他方のスリット３２２ｂから導出されることで、基端２０１が上端に引き出される。ここで、中心軸部３２の空洞部はケース本体３０の底壁３１の下面に開口しているので、フラットケーブル２００を中心軸部３２内に配索する場合、ケース本体３０の底壁３１の下面側からも作業することができる。
【００２９】
この中心軸部３２の上端面３２１には、後述するケーブルガイド部材４０の内周部４０ｂ側が係合する係合用凹部３２４が装備されている。
【００３０】
外周壁部３３は、中心軸部３２との間に、上部を開放した環状のケーブル収容空間３５を画成している。
【００３１】
ロータ板７０は、ケーブル収容空間３５に配設されている。ロータ板７０は、一つの基端ローラ３５１と、複数（５個）のガイドローラ３５２とが、周方向に一定の間隔で配置されている。基端ローラ３５１は、中心軸部３２側から外周壁部３３の内周側にフラットケーブル２００を誘導する。複数のガイドローラ３５２は、回転自在に装備されていて、図２に示すように、フラットケーブル２００を外周壁部３３の内周に沿って周回する巻き取り状態に支持する。ロータ板７０は、中心軸部３２の周りを回転自在であり、ロータ板７０とケース本体３０との間に配設された渦巻きばね等のロータ付勢手段により、フラットケーブル２００を巻き取る方向（図２の矢印Ｒ１方向）に付勢されている。
【００３２】
ケーブル引出口３４は、外周壁部３３の周方向の一部に開口して設けられている。このケーブル引出口３４は、前記ケーブル収容空間３５に収容されたフラットケーブル２００の先端側を、外周壁部３３の外に引き出す引出部である。このケーブル引出口３４から引き出されたフラットケーブル２００が、車載のハーネスプロテクタやシートレールに挿通されて、目的の可動部に接続される。
【００３３】
ケーブルガイド部材４０は、中心軸部３２の上端面３２１と外周壁部３３の一部の上端面３３１との間に架設される。このケーブルガイド部材４０の上面は、フラットケーブル２００を配索する配索路４１になっている。このケーブルガイド部材４０は、ケース本体３０の上部を半径方向に横断するフラットケーブル２００の配索路４１を形成して、中心軸部３２の上端に引き出されたフラットケーブル２００の基端２０１側を、外周壁部３３の外側に誘導する。このケーブルガイド部材４０が架設される位置は、蓋体５０の内側（下方）である。
【００３４】
ケーブルガイド部材４０は、図１に示すように、外周壁部３３側に位置する外周部４０ａに壁部係合突起４２が設けられると共に、中心軸部３２側に位置する内周部４０ｂには、軸部係合突起４４が突設されている。壁部係合突起４２は、外周壁部３３の外周縁に係合して、当該ケーブルガイド部材４０の径方向への移動を規制する。軸部係合突起４４は、中心軸部３２の上端面３２１に形成された係合用凹部３２４に係合して、当該ケーブルガイド部材４０を上端面３２１に固定する。
【００３５】
蓋体５０は、ケース本体３０の上部に着脱可能に取り付けられる。この蓋体５０は、ケーブル収容空間３５の上部開放部を覆う本体部５１と、本体部５１に一体形成されて中心軸部３２の上方を覆う中心部被覆部６０と、を備えている。
【００３６】
本体部５１は、外周部から垂設されて外周壁部３３の外周に嵌合する外周壁部５３と、外周壁部３３に結合するための弾性係止片５４と、を備えている。
【００３７】
弾性係止片５４は、弾性片５４ａの中央に形成された凹部５４ｂを、外周壁部３３に突設された係止突起３３４に係合することで、外周壁部３３との結合を果たす。
【００３８】
以上に説明したケーブル巻取装置１は、ケース本体３０のケーブル収容空間３５にフラットケーブル２００を巻き取った形態に収容し、収容したフラットケーブル２００の基端２０１は、中心軸部３２のスリット３２２に割り込ませて、中心軸部３２の上端に引き出しておく。次いで、図２に示すように、ケース本体３０にケーブルガイド部材４０を組み付け、フラットケーブル２００の基端２０１をケーブルガイド部材４０の配索路４１に配索して、外周壁部３３の外へ導出しておく。また、ケース本体３０に収容したフラットケーブル２００の先端側は、図２に示すように、ケーブル引出口３４から外部に導出しておく。フラットケーブル２００の基端及び先端には、相手のコネクタに接続するコネクタ２１０，２１１が取り付けられている。
【００３９】
図２に示したように、ケース本体３０へのフラットケーブル２００の組み付けが完了したら、図３に示すように、ケース本体３０の上部に蓋体５０を組み付けると、ケーブル巻取装置１の組み立てが完了する。
【００４０】
以上に説明した第１実施形態のケーブル巻取装置１では、装置１に巻き取られたフラットケーブル２００の基端２０１は、ケース本体３０の中心の中心軸部３２の上端からケーブルガイド部材４０によって外周壁部３３の外部に導出される。そして、中心軸部３２の上端及びケーブルガイド部材４０上に配索されたフラットケーブル２００は、その上が、蓋体５０の本体部５１と、本体部５１に一体形成された中心部被覆部６０と、によって覆われて、当該ケーブル巻取装置１の上方に対して露出しない。
【００４１】
したがって、当該ケーブル巻取装置１が車両の床部等に設置された場合でも、ケーブル巻取装置１が踏まれたり、あるいはケーブル巻取装置１の上に荷物等が載置された場合でも、フラットケーブル２００の基端２０１が踏まれたり荷物等に干渉することを回避して、フラットケーブル２００の基端２０１側の汚損を防止することができる。
【００４２】
また、第１実施形態のケーブル巻取装置１の構成によれば、ケーブル巻取装置１の中心部は、中心部被覆部６０によって覆われていて、異物が侵入する大きな開口が存在しないため、装置内への異物の侵入を防止することもできる。
【００４３】
［第２実施形態］
図４及び図５は本発明に係るケース本体の第２実施形態を示したもので、図４は第２実施形態のケース本体においてケーブルガイド部材が外方に退避した状態の斜視図、図５は第２実施形態のケース本体においてケーブルガイド部材が定位置に係合した状態の斜視図である。
【００４４】
この第２実施形態のケース本体３０Ａは、第１実施形態に示したケース本体３０の一部を改良したものである。
【００４５】
この第２実施形態のケース本体３０Ａでは、中心軸部３２の上端に引き出されたフラットケーブル２００を外周壁部３３の外周側に導出させるケーブルガイド部材４０が、外周壁部３３に一体形成されている。
【００４６】
具体的には、第２実施形態におけるケーブルガイド部材４０は、外周壁部３３側に位置する外周部４０ａが、外周壁部３３と一体の可撓ヒンジ３３７により図４の矢印Ｒ２方向に回動可能に、外周壁部３３に結合される。また、ケーブルガイド部材４０は中心軸部３２側に位置する内周部４０ｂには、第１実施形態の場合と同様に中心軸部３２の上部に係脱可能な軸部係合突起４４が備えられている。
【００４７】
この第２実施形態のケース本体３０Ａは、ケーブルガイド部材４０が外周壁部３３に一体形成された構成以外は、第１実施形態におけるケース本体３０と同様の構成でよく、第１実施形態と同様の構成については、同符号を付して説明を省略する。
【００４８】
この第２実施形態のケース本体３０Ａでは、ケーブル収容空間３５にフラットケーブル２００を収容した後で、図５に示すように、ケーブルガイド部材４０の内周部４０ｂを上端面３２１に固定して、ケーブルガイド部材４０の配索路４１にフラットケーブル２００の基端側を配索可能にする。
【００４９】
この第２実施形態のケーブル巻取装置では、ケーブルガイド部材４０は、ケース本体３０Ａの外周壁部３３に一体形成されているため、ケーブルガイド部材４０の装備によって構成部品数が増加することが無く、構成部品の増加を抑えてコスト低減を図ることができる。
【００５０】
［第３実施形態］
図６及び図７は本発明に係るケーブル巻取装置の第３実施形態を示したもので、図６は本発明の第３実施形態のケーブル巻取装置の外観斜視図、図７は図６に示した蓋体に裏面の構造を示す斜視図である。
【００５１】
この第３実施形態のケーブル巻取装置１Ｂは、ケース本体３０の上部に改良した蓋体５０Ａが取り付けられる。
【００５２】
蓋体５０Ａを取り付けるケース本体３０は、第１実施形態と同一の構成で良く、第１実施形態と同一の構成には同符号を付して説明を省略する。
【００５３】
改良した蓋体５０Ａは、図７に示すように、内面に、ケーブルガイド部材４０が一体形成されている。
【００５４】
ケーブルガイド部材４０は、ケース本体３０における中心軸部３２の上端に引き出されたフラットケーブル２００の基端２０１側を、ケース本体３０の外周壁部３３の外に導出する配索路４１を提供する。
【００５５】
本実施形態の場合、図７に示すように、フラットケーブル２００を配索する配索路４１は、蓋体５０Ａの内面に形成されている。また、本実施形態の蓋体５０Ａは、ケース本体３０の外周壁部３３の外周に嵌合する外周壁部５３に、配索路４１に配索されたフラットケーブル２００を外部に引き出すケーブル引出口４５が形成されている。
【００５６】
本実施形態の場合、ケース本体３０のケーブル収容空間３５にフラットケーブル２００を収容し、フラットケーブル２００の基端２０１を中心軸部３２の上端面３２１から外周壁部３３の外に引き出す際、フラットケーブル２００の基端２０１を、蓋体５０Ａのケーブル引出口４５に挿通させて、蓋体５０Ａをケース本体３０の上部に取り付ける。
【００５７】
この第３実施形態のケーブル巻取装置では、ケーブルガイド部材４０は、蓋体５０Ａの内面に一体形成されているため、ケーブルガイド部材４０の装備によって構成部品数が増加することが無く、構成部品の増加を抑えてコスト低減を図ることができる。
【００５８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５９】
例えば、ケース本体３０のケーブル収容空間３５内におけるフラットケーブル２００の支持構造等は、図１に示した構造に限定するものではなく、本発明の主旨を逸脱しない範囲で適宜に変更することができる。
【００６０】
ここで、上述した本発明に係るケーブル巻取装置の実施形態の特徴をそれぞれ以下［１］〜［３］に簡潔に纏めて列記する。
【００６１】
［１］  底壁（３１）の中心部に立設された中心軸部（３２）と前記底壁（３１）の外周に立設された外周壁部（３３）とで上方を開放したケーブル収容空間（３５）を画成し、前記ケーブル収容空間（３５）に巻き取ったフラットケーブル（２００）の基端を中心軸部（３２）の上端から外周壁部（３３）の外に導出するケース本体（３０）と、
前記ケーブル収容空間（３５）の上部開放部を覆う蓋体（５０）と、
を備えるケーブル巻取装置（１）であって、
前記中心軸部（３２）の上端面（３２１）と前記外周壁部（３３）の一部の上端面（３３１）との間に架設されて、前記中心軸部（３２）の上端に引き出された前記フラットケーブル（２００）の基端（２０１）側を前記外周壁部（３３）の外側に誘導するケーブルガイド部材（４０）と、
前記蓋体（５０）に一体形成されて、前記中心軸部（３２）の上方を覆う中心部被覆部（６０）と、
を備えたことを特徴とするケーブル巻取装置（１）。
【００６２】
［２］  前記ケーブルガイド部材（４０）は、前記外周壁部（３３）側に位置する外周部（４０ａ）が、前記外周壁部（３３）と一体の可撓ヒンジ（３３７）により回動可能に前記外周壁部（３３）に結合されると共に、前記中心軸部（３２）側に位置する内周部（４０ｂ）には、前記中心軸部（３２）の上部に係脱可能な軸部係合突起（４４）が備えられていることを特徴とする上記［１］のケーブル巻取装置（１）。
【００６３】
［３］  前記ケーブルガイド部材（４０）は、前記蓋体（５０）の内面に一体形成されていることを特徴とする上記［１］のケーブル巻取装置（１）。
【符号の説明】
【００６４】
１，１Ｂ  ケーブル巻取装置
３０  ケース本体
３１  底壁
３２  中心軸部
３３  外周壁部
３５  ケーブル収容空間
４０  ケーブルガイド部材
４０ａ  外周部
４０ｂ  内周部
４４  軸部係合突起
５０，５０Ａ  蓋体
６０  中心部被覆部
２００  フラットケーブル
２０１  基端
３２１，３３１  上端面
３３７  可撓ヒンジ
【図１】
2015104259.tif 000003
【図２】
2015104259.tif 000004
【図３】
2015104259.tif 000005
【図４】
2015104259.tif 000006
【図５】
2015104259.tif 000007
【図６】
2015104259.tif 000008
【図７】
2015104259.tif 000009
【図８】
2015104259.tif 000010